(57)【要約】【課題】記憶媒体に記憶された多くの曲から、使用者の趣味嗜好に応じて、曲ごとに任意の部分を記憶して再生する部分再生機能を有するとともに、曲の再生時に再生履歴を利用することで、使用者の嗜好に応じた曲順リストを自動的に生成・更新して、その曲順に沿って再生できる機能を備えた情報端末装置を提供する。【解決手段】情報端末装置は、音楽データを曲ごとに記憶する記憶媒体を備え、曲ごとにその再生開始する時間と再生を終了する時間とが任意に設定される部分再生時間リストと、記憶媒体に記憶された順番に曲が並ぶ初期リスト２１と、記憶媒体に記憶された曲が任意に並び替えられたユーザリスト２４と、再生頻度の高い順番に自動で並び替えられた頻度リスト２３と、再生日時の新しい順番に自動で並び替えられた履歴リスト２２とを有し、音楽データを再生する場合、初期リスト２１、ユーザリスト２４、頻度リスト２３、或いは履歴リスト２２のいずれかが選択できる。その場合、部分再生時間リストの部分再生時間を適用するか否かの選択も可能である。【選択図】      図４
2004361713.tif 000002
【特許請求の範囲】
【請求項１】
音楽データを曲ごとに記憶する記憶媒体を備え、曲をその記憶された順番に、或いは１曲ずつ選択された曲を再生する情報端末装置において、
曲ごとにその再生開始する時間と再生を終了する時間とを任意に設定し部分再生時間リストに登録する部分再生時間設定手段と、曲ごとにその再生された回数と再生された最新日時を記録するデータリストを自動的に生成して更新するデータリスト生成更新手段と、前記記憶媒体に記憶された曲を手動で並び替えるユーザリスト作成手段と、前記データリストに記録されたデータに基づいて曲を所定の規則で再生する順番に自動的に並び替えて曲順リストを生成する曲順リスト生成手段と、前記記憶媒体に記憶された音楽データを前記ユーザリストに記された順番、前記曲順リストに記された順番、或いは曲が記憶された順番のいずれかの順番で再生する音楽再生手段とを備えたことを特徴とする情報端末装置。
【請求項２】
前記自動で生成される曲順リストは、再生された回数の多い順に曲が記される頻度リストを含むことを特徴とする請求項１に記載の情報端末装置。
【請求項３】
前記自動で生成される曲順リストは、再生された日時の新しい順に曲が記される履歴リストを含むことを特徴とする請求項１または請求項２に記載の情報端末装置。
【請求項４】
前記ユーザリストは、それぞれ異なる複数のユーザリストであることを特徴とする請求項１乃至請求項３のいずれかに記載の情報端末装置。
【請求項５】
前記曲順リストに含まれる頻度リストと、前記曲順リストに含まれる履歴リストと、前記ユーザリストは択一的に選択可能で、前記頻度リストと履歴リストとユーザリストのいずれかが選択された場合は、その選択されたリストの曲順に従って前記音楽データが再生され、前記頻度リストと履歴リストとユーザリストのいずれも選択されない場合は、前記記憶媒体に曲が記憶された順番に前記音楽データが再生されることを特徴とする請求項３に記載の情報端末装置。
【請求項６】
前記音楽データの曲が再生される場合は、前記部分再生時間リストに登録されている前記開始時間から前記終了時間迄の部分が再生されることを特徴とする請求項１乃至請求項５に記載の情報端末装置。
【請求項７】
前記部分再生時間リストとデータリストとユーザリストと曲順リストは、前記記憶媒体に記憶されることを特徴とする請求項１乃至請求項６のいずれかに記載の情報端末装置。
【請求項８】
前記記憶媒体は情報端末装置本体に着脱可能なメモリカードであることを特徴とする請求項１乃至請求項７のいずれかに記載の情報端末装置。
【請求項９】
情報端末装置は携帯電話装置であることを特徴とする請求項１乃至請求項８のいずれかに記載の情報端末装置。
【請求項１０】
前記音楽データは、インターネットを介して取得されることを特徴とする請求項１乃至請求項９のいずれかに記載の情報端末装置。
【請求項１１】
前記音楽データは、情報端末装置に接続されたオーディオ機器から取得されることを特徴とする請求項１乃至請求項９のいずれかに記載の情報端末装置。
【発明の詳細な説明】
【０００１】
【発明の属する技術分野】
本発明は、音楽再生可能な情報端末装置に関し、特に使用者に便利な曲順で、或いは曲の一部を簡単な操作で再生が可能な情報端末装置に関する。
【０００２】
【従来の技術】
従来から、オーディオテープ、ＣＤ、或いはＭＤなどの記録媒体を使用したオーディオ装置は多数存在するが、ＭＰＥＧ３（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ−３）などのデータ圧縮技術の発達と、メモリカードや超小型ハードディスクなどに見られる記憶装置の高記録密度化及び小型化によって、携帯電話などの携帯型の情報端末装置でも多量の音楽が記憶でき、聴くことが可能となっている。
【０００３】
記憶容量の小さな従来の装置では、保存できる音楽の曲数も少ないため、再生する曲順は、記憶された順番、ランダム、或いは手動による並び替えによって行われていた。しかし、最近のメモリカードはギガバイト単位に迫る容量を持つものもあり、超小型ハードディスクも同様である。そのため、数十〜数百曲の音楽を記憶することも可能である。
【０００４】
特許文献１は、例えばＬＤ（Ｌａｓｅｒ  Ｄｉｓｋ）のような比較的大容量の記録媒体に記憶されている曲の再生情報を、別途、光カードに記録することにより、最近再生した曲や頻繁に再生した曲を順番に表示し、特定の曲を使用者が容易に選択できるようにしている。
【０００５】
【特許文献１】
特開平８−３１１５０号公報
【０００６】
【発明が解決しようとする課題】
しかし、技術の発達に伴い、記録媒体或いは記憶媒体に多量の曲が記憶されると、従来のような曲順による再生方法では、使用者の嗜好にあった複数の曲を順番に聴くことが困難になる。また、曲数を考慮すると、より楽しめる曲順に手動で並び替えることも実質的に困難である。
【０００７】
特許文献１によって開示されている、ＬＤのような比較的記録容量が大きい記録媒体に音楽が記録されている場合、曲の再生情報の記憶に別の光カードを用いるため、光カードにデータを記録して再生する構造が必要となり、装置の高騰を招くとともに、携帯型の装置にあっては装置の小型化を妨げる要因ともなる。更に、光カードに記録される曲の情報を利用すれば、使用者が曲を容易に選択できるものの、嗜好にあった、或いはよく聴く曲を複数選択することが困難で、１曲ごとに毎回選択する必要があり甚だ不便である。
【０００８】
また、従来技術や特許文献１による再生方法では、よく聴く複数の曲それぞれの好みの部分を聴きたい場合、曲ごとに再生の都度、早送りや停止の操作を行わないと実現できず、その操作は現実的に困難である。
【０００９】
本発明は、上記の実情に鑑みなされたものであり、記憶媒体に記憶された多くの曲から、使用者の趣味嗜好に応じて、曲ごとに任意の部分を記憶して再生する部分再生機能を有するとともに、曲の再生時に再生履歴を利用することで、使用者の嗜好に応じた曲順リストを自動的に生成・更新して、その曲順に沿って再生できる機能を備えた情報端末装置を提供することを目的とする。
【００１０】
【課題を解決するための手段】
上記目的を達成するために、本発明は、音楽データを曲ごとに記憶する記憶媒体を備え、曲をその記憶された順番に、或いは１曲ずつ選択された曲を再生する情報端末装置は、曲ごとにその再生開始する時間と再生を終了する時間とを任意に設定して部分再生時間リストに登録する部分再生時間設定手段と、曲ごとにその再生された回数と再生された最新日時を記録するデータリストを自動的に生成して更新するデータリスト生成更新手段と、記憶媒体に記憶された曲を手動で並び替えるユーザリスト作成手段と、データリストに記録されたデータに基づいて曲を所定の規則で再生する順番に自動的に並び替えて曲順リストを生成する曲順リスト生成手段と、記憶媒体に記憶された音楽データをユーザリストに記された順番、曲順リストに記された順番、或いは曲が記憶された順番のいずれかの順番で再生する音楽再生手段とを備えている。
【００１１】
また、データリストに基づいて自動で生成される曲順リストは、再生された回数の多い順に曲が記される頻度リスト、及び再生された日時の新しい順に曲が記される履歴リストからなる。
【００１２】
また、ユーザリストは、それぞれ異なる複数のユーザリストである。
【００１３】
さらに、音楽データ再生時には、頻度リストと、履歴リストと、ユーザリストを択一的に選択可能で、これらのリストのいずれかが選択された場合は、その選択されたリストに記された曲順に従って音楽データが再生され、これらのリストのいずれも選択されない場合は、記憶媒体に曲が記憶された順番に音楽データが再生される。
【００１４】
音楽データの曲が再生される場合は、それぞれの曲全体、或いは部分再生時間リストに登録されている開始時間から終了時間迄の部分が再生される。
【００１５】
部分再生時間リスト、データリスト、ユーザリスト、履歴リスト、及び頻度リストは、記憶媒体に音楽データとともに記憶される。
【００１６】
また、記憶媒体は、情報端末装置本体に着脱可能なメモリカードである。
【００１７】
情報端末装置は携帯電話装置からなっている。
【００１８】
音楽データは、インターネット、或いは情報端末装置に接続されたオーディオ機器から取得される。
【００１９】
【発明の実施の形態】
以下に本発明の実施形態を図面を参照して説明する。図１は、本発明に係わる情報端末装置の一例である携帯電話を示す。情報端末装置１は、外部と無線通信を行うためのアンテナ２と、操作のための入力キーなどを備えた操作入力部３と、ＬＣＤから構成されて文字やグラフィックが表示される表示部４と、送話のためのマイク５と、受話のためのスピーカ６と、情報や音楽データが記憶される着脱可能な書き換え可能な不揮発性メモリからなるメモリカード方式の記憶媒体７と、例えばパソコンやオーディオ機器との接続のために利用される外部コネクタ８とから概略構成されている。尚、記憶媒体７は不揮発性メモリに限定されず、小型ハードディスクや他の記憶媒体或いは記録装置であってもよい。
【００２０】
このような構成の情報端末装置１は、通常の携帯電話としての機能のほかに、インターネットなどに無線で接続して、配信される音楽データを受信して記憶媒体７に格納しておくことが可能である。また、記憶媒体７は着脱可能であるため、複数の記憶媒体７を利用することで更に多くの音楽を楽しむことが可能である。更に、外部コネクタ８を介してパソコンやオーディオ機器に情報端末装置１を接続すれば、それらの機器で再生される好みの音楽データを、情報端末装置１の記憶媒体７に転送して記憶させておくことも可能である。また、このようにして記憶媒体７に記憶された音楽データを情報端末装置１が再生する場合、図示しない音楽再生用スピーカから出力させてもよいし、マイク５をスピーカ共用マイクとして一方のオーディオチャンネルをこのマイク５から、他方のオーディオチャンネルをスピーカ６から出力するようにしてもよい。
【００２１】
次に、図１で示した情報端末装置１の制御の概略について図２を参照して説明する。図２は、情報端末装置１の制御に係わるブロック図である。尚、図１と同じ構成要素については同じ符号を付与することにより重複する説明は省略する。情報端末装置１は、操作入力部３と、表示部４と、記憶媒体７と、各種のデータ変換を行うデータ変換部９と、アンテナ２に接続され無線通信のための制御と信号の変換を行う通信制御部１０と、音声信号の処理を行う音声制御部１１と、制御プログラムと制御パラメータと一時データが格納される情報記憶部１２と、外部からの通信の着信時に情報端末装置１を振動させる振動ユニット１３と、外部コネクタとを備え、それぞれが全体の制御をつかさどるシステム制御部１４に接続されて制御される。
【００２２】
上記の構成により、情報端末装置１は通常の携帯電話としての通話機能を実現するとともに、インターネットへの接続もできるようになっている。そのため、Ｅメールによる情報通信も可能で、文字データ、画像データ、或いは音楽データなどを他の情報端末装置に送信、或いは他の情報端末装置から受信することができる。同時に、ｈｔｔｐやｆｔｐなどのインターネットの転送プロトコルによる通信も可能で、音楽の配信サイトに接続して音楽データを取得することもできる。こうして得た音楽データはスピーカ６を介して出力され、文字などを含む情報データは表示部４に表示される。また、情報記憶部１２は一時的なデータの保存も行うことができるので、着信したＥメールやそれに含まれるデータも情報記憶部１２に保存される。Ｅメールを送信する場合も、操作入力部３で操作して表示部４に表示させたデータは情報記憶部１２に記憶され、送信の操作に従って送信される。
【００２３】
Ｅメールやインターネットを介して受信した音楽データは、情報記憶部１２に他のデータとともに一旦格納されるが、別途操作して記憶媒体７に転送することも可能である。この場合、記憶媒体７に他の音楽データが既に格納されていれば、転送された音楽データは追記される。記憶媒体７に格納されている音楽データを再生する場合は、所定の再生操作を行うと、選択された音楽データの曲はデータ変換部９によって音声データに変換され、音声制御部１１で増幅などの音声処理が行われた後、音声信号としてスピーカ６から出力される。
【００２４】
上記のように音楽データと、該音楽データの記憶と同時に生成或いは更新されるリストが格納される記憶媒体７の記憶領域について、図３を参照して説明する。図３は、Ｎ個の音楽データの曲とその関連リストが格納される領域を示す記憶媒体７の模式図である。
【００２５】
記憶媒体７の記憶領域は、音楽データ、すなわち、音楽１〜音楽Ｎのタイトルを有する曲のデータが格納される音楽データ領域と、音楽データの関連リスト類が格納されるリスト領域の２つに分かれる。尚、その他の情報データが格納される領域に関しては、説明を省略する。
【００２６】
関連リストは、履歴リスト２２及び頻度リスト２３を含む曲順リスト２０と、初期リスト２１と、ユーザリスト２４と、部分再生時間リスト２５と、曲データリスト２６とから構成され、記憶媒体７のリスト領域に格納される。こうして、音楽データとその関連リストを同じ記憶媒体７内に格納することにより、着脱可能な記憶媒体７ごとの音楽データの管理が独立して可能になるとともに、同じ機能を有する他の情報端末装置に記憶媒体７を装着すれば、その記憶媒体７の関連リストで管理されているとおりに曲の再生が行われる。
【００２７】
次に、これらの関連リストとその役割の詳細について図４〜図９を参照して説明する。図４は、再生時の曲順を示すリスト類の構造で、（ａ）は初期リスト２１を、（ｂ）は履歴リスト２２を、（ｃ）は頻度リスト２３を、（ｄ）はユーザリスト２４を示す。
【００２８】
初期リスト２１は、それぞれ音楽１〜音楽Ｎのタイトルを持つ個々の曲が、記憶媒体７に記憶された順番で記載される。図４（ａ）では、曲順が小さいほど新しく記憶された音楽データである。つまり、音楽１が最初に記憶され、音楽Ｎが最近記憶された例である。記憶媒体７に記憶された音楽データを再生する際、この初期リスト２１が使用者によって選択されると、曲順に記されている番号の小さいものから順番に再生される。
【００２９】
履歴リスト２２は、それぞれ音楽１〜音楽Ｎのタイトルを持つ曲が１回でも再生されると、その再生日時が最近のものほど小さい曲順を持つようにタイトルが並べ替えられる。図４（ｂ）では、曲順が小さいほど最近再生された音楽データである。記憶媒体７に記憶された音楽データを再生する際、この履歴リスト２２が使用者によって選択されると、曲順に記されている番号の小さいものから順番に再生される。
【００３０】
頻度リスト２３は、それぞれ音楽１〜音楽Ｎのタイトルを持つ曲が記憶されてから１回以上再生されると、その再生回数が多いものほど小さい曲順を持つようにタイトルが並べ替えられる。図４（ｃ）では、曲順が小さいほどより頻繁に再生された音楽データである。記憶媒体７に記憶された音楽データを再生する際、この頻度リスト２３が使用者によって選択されると、曲順に記されている番号の小さいものから順番に再生される。
【００３１】
ユーザリスト２４は、それぞれ音楽１〜音楽Ｎのタイトルを持つ曲を、使用者が情報端末装置１の操作入力部３と表示部４（図１と図２）を介して手動で並び替えたリストである。図４（ｄ）では、曲順が小さいほど早く再生させたい曲である。記憶媒体７に記憶された音楽データを再生する際、このユーザリスト２４が使用者によって選択されると、曲順に記されている番号の小さいものから順番に再生される。また、このユーザリスト２４に限れば、複数のユーザリストを作成して登録することが可能である。複数のユーザリストを使い分けることで、１つの記憶媒体７に記憶されている曲を、ジャンル別、アーティスト別、或いは特定のグループ別にまとめて、任意の順番に聴くことが可能になる。
【００３２】
図５は、部分再生時間リスト２５の例を示し、（ａ）は初期状態のリスト例で、（ｂ）は使用者によって更新された例である。通常、ＭＰＥＧ３などのデータ圧縮技術で圧縮された音楽データは、そのデータとともに、タイトルとデータ再生時間が記録される。情報端末装置１に新しい音楽データが記憶されるたびに、そのタイトルと再生時間が読み取られ、図５（ａ）のような部分再生リスト２５に、新しく記憶された曲の再生時間が開始時間を０：００として、また、その再生時間の長さが終了時間として記されて保存される。
【００３３】
図６は、使用者が部分再生時間リスト２５を変更する際の手順を示すフローチャートである。使用者が、所定の操作手順に従って部分再生時間変更モードに入ると、部分再生時間リストの更新処理が開始される。まず、Ｓ１（ステップ１）で、変更対象の曲が選択されて再生される。Ｓ２で、使用者はその曲を聴きながら、部分再生を開始したい箇所がきたら操作入力部３（図１と図２）の所定のキーを押下する。すると、Ｓ３で、その曲の開始からそれまでの所要時間が部分再生における開始時間として登録され、図５（ｂ）の部分再生時間リスト２５内でその曲の開始時間のデータが変更される。同じ曲が引き続き再生されているので、Ｓ４で、所定のキーが再度押下されると、Ｓ５で、その曲の開始からそれまでの所要時間が部分再生における終了時間として登録され、図５（ｂ）の部分再生時間リスト２５内でその曲の終了時間のデータが変更される。その後、Ｓ６で曲の再生は終了する
【００３４】
Ｓ２或いはＳ４で所定のキーが１度も押下されず、Ｓ６でその曲の再生が終了した場合は、その曲の部分再生時間は変更されない。また、Ｓ２で所定のキーが１度押下され、２度目の押下がないまま、Ｓ６でその曲の再生が終了した場合は、部分再生時間の開始時間のみが変更され、終了時間は変更されない。
【００３５】
このようにして初期状態から更新された部分再生時間リスト２５の例は、図５（ｂ）に示されるとおりである。後述するように、使用者が初期リスト２１、履歴リスト２２、頻度リスト２３、或いはユーザリスト２４を選択して再生を行う場合に、この部分再生時間リスト２５を参照して再生するか否かの選択を行うことができる。例えば図４（ｂ）の履歴リスト２２が選択され、部分再生時間リスト２５を参照して再生を行う場合は、例えば、図５（ｂ）に示した部分再生時間に沿って、履歴リスト２２に記された曲が、曲順の番号の小さいものから再生される。部分再生時間リスト２５を参照しない場合は、音楽データの本来の開始時間から終了時間までが履歴リスト２２に従って再生される。
【００３６】
図７は、曲データリスト２６の一例を示す図である。曲データリスト２６はタイトルと、その曲が記憶されてからの再生回数と、最新の再生日時が記され、曲の再生が行われる都度更新される。ある曲が記憶媒体７に記憶された時に、その曲のタイトルと、０回の再生回数と、記憶された日時が初期値として設定される。曲データリスト２６は、上記した履歴リスト２２と頻度リスト２３とが更新される基になるリストである。
【００３７】
図８は、曲データリスト２６と、履歴リスト２２と、頻度リスト２３の更新の流れを示すフローチャートである。Ｓ１１（ステップ１１）で、ある曲の再生が終了すると、まず、曲データリスト２６から再生が終了した曲が選択され、その曲の再生回数と再生日時がＳ１２で更新される。それが終了すると、Ｓ１３で、曲データリストを参照して、履歴リスト２２を再生日時順に並び替えて更新する。その処理が終了すると、更に、Ｓ１４で、再度曲データリストを参照して、頻度リスト２３を再生回数の多い順に並び替えて更新する。
【００３８】
こうして、生成・更新されるリスト類を利用して、記憶媒体７に記憶されている音楽データを再生する場合のフローチャートを図９に示す。図９（ａ）は、部分再生時間リスト２５に無関係に再生する場合を示し、図９（ｂ）は、部分再生時間リスト２５に応じて再生する場合を示す。音楽データの再生に先だって、部分再生時間リスト２５を適用して再生するか否かの選択が行われているものとする。部分再生時間リスト２５の適用が選択されている場合は図９（ｂ）のフローチャートのように動作する。図９（ｂ）が図９（ａ）と異なる部分は、それぞれのリストに記されている曲順に再生が行われるＳ２２ｂ、Ｓ２５ｂ、Ｓ２６ｂ、Ｓ２７ｂの部分で、この部分はそれぞれの曲順に再生する時に、該当する曲は部分再生時間リスト２５に登録された開始時間と終了時間とに従って再生される。そのため、以下では図９（ａ）についてのみ説明し、（ｂ）の説明は省略する。
【００３９】
まず、Ｓ２１（ステップ２１）で、ユーザリスト２４、履歴リスト２２、或いは頻度リスト２３を使用するか否かの選択が行われる。使用しない場合は、Ｓ２２ａに分岐して、初期リスト２１に記された順番に沿って曲を再生する。Ｓ２１で、ユーザリスト２４、履歴リスト２２、或いは頻度リスト２３が使用される場合は、Ｓ２３で、どのリストが使用されるかの選択が行われる。ユーザリスト２４が使用される場合はＳ２４に移行し、複数のユーザリストが存在する場合は、１つを選択して、Ｓ２５ａで、選択されたユーザリストに従って音楽データが再生される。Ｓ２３で、履歴リスト２２が選択されると、Ｓ２６ａで、履歴リスト２２に記された順番に音楽データが再生される。Ｓ２３で、頻度リスト２３が選択されると、Ｓ２７ａで、頻度リスト２３に記された順番に音楽データが再生される。
【００４０】
尚、履歴リスト２２及び頻度リスト２３を含む曲順リスト２０、初期リスト２１、ユーザリスト２４、部分再生時間リスト２５、曲データリスト２６は図示して説明しないが、それぞれ所定のファイル名を有して保存される。２つ以上のユーザリストが使用できる場合、それぞれのユーザリストごとに異なるファイル名、或いは異なる識別子が付加されて保存される。
【００４１】
また、本実施形態における説明では、記憶媒体７に記憶されている曲を連続的に再生する場合について説明したが、従来の方法のように１曲ずつ選曲して再生することも可能である。しかし、その場合であっても、部分再生時間リスト２５を有効にするか否かの選択も行うことができるので、部分再生時間リスト２５が有効な場合、１曲ごとの再生時も、その曲は部分再生時間リストに登録されているように部分的に再生される。
【００４２】
さらに、本実施形態では曲からなる音楽データを再生する対象として説明したが、音楽データに限らず、音声データであっても本実施形態が適用可能であることは言うまでもない。例えば、語学学習として、単語、熟語、文章、或いは任意の文章単位を本実施形態の曲として扱うことにより、学習しようとする単語、熟語、文章などが使用者の学習嗜好に応じて再生される。
【００４３】
尚、本実施形態の説明にあたっては、情報端末装置１の例として携帯電話を取り上げたが、音楽データが情報の一部として取得されて入力される情報端末装置であれば、本発明は携帯電話に限定されるものではない。また、記憶媒体７は着脱可能な不揮発性メモリとして説明したが、情報端末装置１が内蔵する記憶装置であってもよいし、情報端末装置１に接続可能なハードディスク、或いは再書き込み可能な光ディスクや光磁気ディスクであっても本発明の実施は可能である。
【００４４】
【発明の効果】
本発明によると、記憶媒体に記憶される音楽データの再生時の統計を、頻度、及び再生日時ごとに頻度リスト及び履歴リストとして集計するため、使用者の嗜好に合致した最新の再生リストが自動的に生成されて、その曲順に従って音楽データを再生することが可能になる。また、同時に、再生する曲の順番を手動で指定する複数のユーザリストの作成も可能であり、更に細かく嗜好を反映させた音楽データの再生が可能である。
【００４５】
また、曲の再生させたい部分を曲ごとに登録可能で、特にクラシック音楽のように、１つの曲が複数のパートに分かれているときには、好みの部分のみ抽出して再生することができ、これを頻度リスト、履歴リスト、またはユーザリストと組み合わせると、更に便利で嗜好に沿った音楽データの再生が行える。
【図面の簡単な説明】
【図１】本発明に係わる情報端末装置の一例である携帯電話を示す。
【図２】情報端末装置１の制御に係わるブロック図である。
【図３】Ｎ個の音楽データの曲とその関連リストが格納される領域を示す記憶媒体７の模式図である。
【図４】再生時の曲順を示すリスト類の構造を示し、（ａ）は初期リスト２１を、（ｂ）は履歴リスト２２を、（ｃ）は頻度リスト２３を、（ｄ）はユーザリスト２４を示す。
【図５】部分再生時間リスト２５の例を示し、（ａ）は初期状態のリスト例で、（ｂ）は使用者によって更新された例である。
【図６】使用者が部分再生時間リスト２５を変更する際の手順を示すフローチャートである。
【図７】曲データリスト２６の一例を示す図である。
【図８】曲データリスト２６と、履歴リスト２２と、頻度リスト２３の更新の流れを示すフローチャートである。
【図９】生成・更新されるリスト類を利用して、記憶媒体７に記憶されている音楽データを再生する場合のフローチャートであり、（ａ）は部分再生時間リスト２５に無関係に再生する場合を、（ｂ）は、部分再生時間リスト２５に応じて再生する場合を示す。
【符号の説明】
１    情報端末装置
２    アンテナ
３    操作入力部
４    表示部
５    マイク
６    スピーカ
７    記憶媒体
８    外部コネクタ
９    データ変換部
１０  通信制御部
１１  音声制御部
１２  情報記憶部
１３  振動ユニット
１４  システム制御部
２０  曲順リスト
２１  初期リスト
２２  履歴リスト
２３  頻度リスト
２４  ユーザリスト
２５  部分再生時間リスト
２６  曲データリスト
【図１】
2004361713.tif 000003
【図２】
2004361713.tif 000004
【図３】
2004361713.tif 000005
【図４】
2004361713.tif 000006
【図５】
2004361713.tif 000007
【図６】
2004361713.tif 000008
【図７】
2004361713.tif 000009
【図８】
2004361713.tif 000010
【図９】
2004361713.tif 000011